(57)【要約】      （修正有）【課題】プロジェクターの機種を変更した場合でも、使用可能であって、Ｘ、Ｙ、Ｚ軸の角度調整可能なプロジェクター設置具を提供する。【解決手段】３本以上のアーム１と、アームホルダー１１と、Ｘ軸保持具５１と、Ｙ軸保持具４４と、Ｚ軸ボルトと天井ブラケット３１を備えたプロジェクター保持具であって、アーム１の一方端部をプロジェクター固定穴に固定し、アーム１はアームホルダー１１に対し自在位置に固定し、アームホルダー１１はＸ軸保持具５１に対し回動可能に固定し、Ｘ軸保持具５１はＹ軸保持具４４に対し回動可能に固定し、Ｚ軸ボルトは天井ブラケット３１に対し、回動可能に固定する。【選択図】図９
2013080139.tif 000002
【特許請求の範囲】
【請求項１】
３本以上のアームと、アームホルダーと、Ｘ軸保持具と、Ｙ軸保持具と、Ｚ軸ボルトと天井ブラケットを備えたプロジェクター保持具であって、アームの一方端部をプロジェクター固定穴に固定し、アームはアームホルダーに対し自在位置に固定し、アームホルダーはＸ軸保持具に対し回動可能に固定し、Ｘ軸保持具はＹ軸保持具に対し回動可能に固定し、Ｚ軸ボルトは天井ブラケットに対し、回動可能に固定する事を最も主要な特徴とするプロジェクター保持具。
【発明の詳細な説明】
【技術分野】
【０００１】
本考案は、プロジェクターを部屋の壁面あるいは天井に設置する為のプロジェクター設置具に関するものである。
【背景技術】
【０００２】
プロジェクターは、多くのメーカーから販売されていて、その設置具もメーカーの専用具が販売されている。しかしながらメーカーオリジナル設置具は高価であった。また、プロジェクター専用形態であるため、プロジェクターを買い換えた時、固定具もまた買い直す必要があった。
【０００３】
この為、各メーカーのプロジェクターに対応しながら、Ｘ、Ｙ、Ｚ軸において角度調整可能なプロジェクター設置具が望まれていた。
【発明の開示】
【発明が解決しようとする課題】
【０００４】
本発明は、プロジェクターの機種を変更した場合でも、使用可能であって、Ｘ、Ｙ、Ｚ軸の角度調整可能なプロジェクター設置具を提供する事にある。
【課題を解決するための手段】
【０００５】
本発明は、３本以上のアームと、アームホルダーと、Ｘ軸保持具と、Ｙ軸保持具と、Ｚ軸ボルトと天井ブラケットを備えたプロジェクター保持具であって、アームの一方端部をプロジェクター固定穴に固定し、アームはアームホルダーに対し自在位置に固定し、アームホルダーはＸ軸保持具に対し回動可能に固定し、Ｘ軸保持具はＹ軸保持具に対し回動可能に固定し、Ｚ軸ボルトは天井ブラケットに対し、回動可能に固定する事を最も主要な特徴とする。
【発明の効果】
【０００６】
本発明のプロジェクター保持具は、アームをアームホルダーに対し、自在位置に固定する事によって、機種によって様々な位置となる固定ボス位置に対応し、よってプロジェクターを次々に変更しても、本発明のプロジェクター保持具にてプロジェクターを保持できるという利点がある。
【発明を実施するための最良の形態】
【０００７】
コの字のＹ軸保持具に対し、保持具の一部をＬ型に曲げたＬ曲げＹ軸保持具を使用する事によって、天吊り型に対し壁面固定型のプロジェクター保持具とする事ができる。
【実施例１】
【０００８】
図１は、アームの斜視図である。１はアームであって、２は固定穴、３は長穴を示している。固定穴２はアーム１の一方端部に配置されている。
【０００９】
図２は、アームをアームホルダーに固定した状態を示す斜視図である。１１はアームホルダーを示し、１２は長穴、１３はフック、１４はボルトを示している。アーム１とアームホルダー１１は、アーム１の長穴２とアームホルダー１１の長穴１２にボルト１４を通し、ナットにて固定されている。ボルトを締め付ける前は、長穴２と長穴１２によって、アームは自在方向へ自在な位置で動かす事が可能であり、様々な位置のプロジェクター固定ボス位置に対応が可能としている。
【００１０】
図３は、図２に対しアームをプロジェクターに固定した状態を示す斜視図である。プロジェクターの機種によっては、固定ボスが３個、４個のモデルもあり、実施例の図ではアームを４本としているが、固定ボス３個のプロジェクターの場合は、３本のアームを使用する場合もある。
【００１１】
図４は、壁面ブラケットを示す斜視図である。３１は壁面ブラケットを示し、３２はナット、３３ブラケット固定穴である。ナット３２は、壁面ブラケット３１に対し固定されている。ナット３２を固定する場合カシメナットを使用する場合もある。壁面ブラケット３１は、ブラケット固定穴３３を使用し、ビスを用いて壁面あるいは天井面に固定する。
【００１２】
図５は、図４に対しＺ軸高さ出し具とＹ軸保持具を固定した状態を示す斜視図である。４１はＺ軸高さ出し具であって、４２はＺ軸ボルト頭、４３はＺ軸ボルト先端部、４４はＹ軸保持具、４５はＹ軸固定穴である。Ｚ軸ボルト４２は、Ｙ軸固定具４４とＺ軸高さ出し具４１を貫通してナット３２に締め付けられている。この時Ｙ軸固定具４４とＺ軸高さ出し具４１は、壁面ブラケット３１に対し、任意の角度位置にて固定する事を可能としている。
【００１３】
図６は、Ｘ軸保持具を示す斜視図である。５１はＸ軸保持具を示し、５２は固定穴、５３はＸ軸ボルトである。固定穴５２は反対面に設けられていて、内側にはナットがＸ軸保持具に対し固定されている。またＸ軸ボルト５３も反対面にも設けられていてＸ軸保持具に対し固定されている。
【００１４】
図７は、図５に対しＸ軸保持具を組立てた状態を示す斜視図である。５４はワッシャを示し、５５はボルトである。ボルト５５をＹ軸保持具４４のＹ軸固定穴４５を通し、固定穴５２に締め付ける事によって、Ｘ軸保持具５１はＹ軸保持具４４に対し、任意の角度位置にて固定する事を可能としている。
【００１５】
図８は、図３で示すブロックと図７で示すブロックを組立てた状態を示す斜視図である。６１はワッシャを示し、６２はナットである。天井に固定した図７ブロックのＸ軸ボルト５３に対し、アームホルダー１１のフック１３をぶら下げる形で組立、その後Ｘ軸ボルト５３にワッシャ６１、ナット６２を締め付ける事によって、図３のブロックはＸ軸保持具５１に対し、任意の角度位置にて固定する事を可能としている。
【００１６】
図９は、プロジェクター保持具の斜視図である。
【００１７】
図１０は、図９に対しＺ軸高さ出し具を伸ばした状態を示す斜視図である。７１はＺ軸高さ出し具Ｌを示ししている。この時Ｚ軸ボルト４１の長さは、Ｚ軸高さ出し具Ｌの長さに合せて長くすることは言うまでも無い。
【００１８】
図１１は、図１０に対しＹ軸保持具４４の形状を９０度曲げた９０度曲げＹ軸保持具８１備えた状態を示す斜視図である。８１は９０度曲げＹ軸保持具を示している。９０度曲げＹ軸保持具８１を使用する事により、プロジェクター保持具は、天吊り型保持具から壁面固定型保持具として使用することができる。
【００１９】
図１２は、図９に対しＺ軸高さ出し具５１を外し、Ｙ軸保持具４４に対し壁面ブラケット３１を直接固定した状態を示す斜視図である。この時Ｚ軸ボルト４２はその距離に応じた短いボルトを使用する事は言うまでも無い。
【産業上の利用可能性】
【００２０】
本発明のプロジェクター保持具は、プロジェクターの機種を変更した場合でも、使用可能であって、Ｘ、Ｙ、Ｚ軸の角度調整可能なプロジェクター設置具として使用できる。
【図面の簡単な説明】
【００２１】
【図１】アームの斜視図。
【図２】アームをアームホルダーに固定した状態を示す斜視図。
【図３】図２に対しアームをプロジェクターに固定した状態を示す斜視図。
【図４】壁面ブラケットを示す斜視図。
【図５】図４に対しＺ軸高さ出し具とＹ軸保持具を固定した状態を示す斜視図。
【図６】Ｘ軸保持具を示す斜視図。
【図７】図５に対しＸ軸保持具を組立てた状態を示す斜視図。
【図８】図３で示すブロックと図７で示すブロックを組立てた状態を示す斜視図。
【図９】プロジェクター保持具の斜視図。
【図１０】図９に対しＺ軸高さ出し具を伸ばした状態を示す斜視図。
【図１１】図１０に対しＹ軸保持具４４の形状を９０度曲げた９０度曲げＹ軸保持具８１備えた状態を示す斜視図。
【図１２】図９に対しＺ軸高さ出し具５１を外し、Ｙ軸保持具４４に対し壁面ブラケット３１を直接固定した状態を示す斜視図。
【符号の説明】
【００２２】
１    アーム
２    アーム固定穴
３    アーム長穴
１１    アームホルダー
１２    長穴
１３    フック
１４    ボルト
２０    プロジェクター
２１    ビス
３１    壁面ブラケット
３２    ナット
３３    ブラケット固定穴
４１    Ｚ軸高さ出し具
４２    Ｚ軸ボルト
４３    Ｚ軸ボルト先端部
４４    Ｙ軸保持具
４５    Ｙ軸固定穴
５１    Ｘ軸保持具
５２    固定穴
５３    Ｘ軸ボルト
５４    ワッシャ
５５    ボルト
６１    ワッシャ
６２    ナット
７１    Ｚ軸高さ出し具Ｌ
８１    ９０度曲げＹ軸保持具
【図１】
2013080139.tif 000003
【図４】
2013080139.tif 000004
【図５】
2013080139.tif 000005
【図６】
2013080139.tif 000006
【図７】
2013080139.tif 000007
【図８】
2013080139.tif 000008
【図２】
2013080139.tif 000009
【図３】
2013080139.tif 000010
【図９】
2013080139.tif 000011
【図１０】
2013080139.tif 000012
【図１１】
2013080139.tif 000013
【図１２】
2013080139.tif 000014